(57)【要約】【課題】ＤＶＤ再生機能を搭載し、電源投入時の消費電力を低減でき、起動時間を短縮し得るハードディスクレコーダを提供する。【解決手段】電源投入時にデジタルビデオディスクを再生可能なＤＶＤ再生機９の電源を先に投入してデジタルビデオディスクの検出を行ない、その後ＤＶＤ再生機９のディスクモータの回転が安定した直後に、ＨＤＤ６の電源を投入して正常動作の確認を行なうとともに、ＤＶＤ再生機９の正常動作の確認を行うことにより、消費電力を低減するとともに、起動時間を短縮する。【選択図】        図２
2004342267.tif 000002
【特許請求の範囲】
【請求項１】
受信中の番組をハードディスクに蓄積し、蓄積処理中であっても蓄積した番組を蓄積している範囲内の任意の箇所から表示し、利用者の操作によって番組視聴中に番組表示の一時停止や表示速度を変更するタイムシフト再生機能を有するハードディスクレコーダであって、
デジタルビデオディスクを再生可能なＤＶＤ再生手段と、
電源投入時に、前記ＤＶＤ再生手段の電源を先に投入して前記デジタルビデオディスクの検出を行ない、その後前記ＤＶＤ再生手段のディスクモータの回転が安定した直後に、前記ハードディスクの電源を投入して該ハードディスクの正常動作の確認を行なうとともに、前記ＤＶＤ再生手段の動作確認を行なう電源制御手段とを備えたことを特徴とする、ハードディスクレコーダ。
【請求項２】
受信中の番組をハードディスクに蓄積し、蓄積した番組を表示可能であるとともに、デジタルビデオディスクを再生するＤＶＤ再生手段を有するハードディスクレコーダであって、
電源投入時に、前記ＤＶＤ再生手段の電源を先に投入してデジタルビデオディスクの検出を行ない、その後前記ＤＶＤ再生手段のディスクモータの回転が安定した直後に、前記ハードディスクの電源を投入して該ハードディスクの正常動作の確認を行なうとともに、前記ＤＶＤ再生手段の動作確認を行なう電源制御手段とを備えたことを特徴とする、ハードディスクレコーダ。
【発明の詳細な説明】
【０００１】
【発明の属する技術分野】
この発明はハードディスクレコーダに関し、特に、受信中の番組を蓄積し、蓄積した番組表示するとともにデジタルビデオディスク（ＤＶＤ）を再生可能なハードディスクレコーダに関する。
【０００２】
【従来の技術】
ハードディスクレコーダとしては特開２００２−４４５４２号公報に記載されたＴＶ番組視聴装置がある。このようなハードディスクレコーダは大容量のハードディスクが安価に製造できるようになったことに伴い実用化されたものである。
【０００３】
従来のビデオテープレコーダ（ＶＴＲ）では、録画を終了し終えた後でなければ録画した番組を再生できなかったのに対して、ハードディスクレコーダでは、受信中の番組をハードディスクに蓄積し、蓄積処理中であっても蓄積した番組を蓄積している範囲内の任意の箇所から表示し、利用者の操作によって番組視聴中に番組表示の一時停止や表示速度を変更するタイムシフト再生機能を有している。また、このようなハードディスクレコーダにはＤＶＤ再生機能を付加した商品も市場に出回りつつある。
【０００４】
【特許文献１】
特開２００２−４４５４２号公報
【０００５】
【発明が解決しようとする課題】
従来のビデオテープレコーダのようなアナログ機器に比べて、ハードディスクレコーダのようなデジタル機器では、ＤＶＤ再生機能など多くの機能を持たせることを実現するために制御を必要とする多数の集積回路（ＩＣ）を使用している。
【０００６】
また、複雑な制御を必要とするためにハード回路による構成ではなく、マイクロコンピュータなどの制御用ＩＣを使用したソフトウェアによる構成で成り立っている。このため、従来のアナログ機器と比較して内部ＩＣの制御を行なうタイミングに係る時間は従来と比較して約何十倍も要するようになっている。
【０００７】
図４は従来のハードディスクレコーダにＤＶＤ機能を搭載した機器の電源投入のタイムシーケンスを示す。ハードディスクレコーダの電源を投入すると、ＨＤＤとＤＶＤのそれぞれのモータの回転が安定するまでの時間を経てＤＶＤのディスクがチェックされ、ＨＤＤはＤＶＤのディスクのチェックを終了するまで動作が停止される。続いて、ＤＶＤが正常に動作するか否かが確認される。ここまでに要する時間はたとえば８ｓｅｃかかる。ＤＶＤの正常な動作を確認した後、ＨＤＤが再度回転状態にされ、回転が安定するとＨＤＤが正常に動作するか否かが確認される。その確認動作が終了するまで、たとえば電源投入後１３ｓｅｃ要する。
【０００８】
また、ＤＶＤとＨＤＤとの電源を同時に投入すると瞬間的に５０ｍＡの最大電流が流れる。このため、消費電力が大きくなるばかりでなく、内部回路に使用されるコンデンサなど耐圧の高い部品を使用する必要があり、コストが高くなるという問題があった。
【０００９】
それゆえに、この発明の主たる目的は、ＤＶＤ再生機能を搭載し、電源投入時の消費電力を低減でき、起動時間を短縮し得るハードディスクレコーダを提供することである。
【００１０】
【課題を解決するための手段】
この発明は、受信中の番組をハードディスクに蓄積し、蓄積処理中であっても蓄積した番組を蓄積している範囲内の任意の箇所から表示し、利用者の操作によって番組視聴中に番組表示の一時停止や表示速度を変更するタイムシフト再生機能を有するハードディスクレコーダであって、デジタルビデオディスクを再生可能なＤＶＤ再生手段と、電源投入時にＤＶＤ再生手段の電源を先に投入してデジタルビデオディスクの検出を行ない、その後ＤＶＤ再生手段のディスクモータの回転が安定した直後に、ハードディスクの電源を投入してハードディスクの正常動作の確認を行なうとともに、ＤＶＤ再生手段の動作確認を行なう電源制御手段とを備えたことを特徴とする。
【００１１】
他の発明は、受信中の番組をハードディスクに蓄積し、蓄積した番組を表示可能であるとともに、デジタルビデオディスクを再生するＤＶＤ再生手段を有するハードディスクレコーダであって、電源投入時に、ＤＶＤ再生手段の電源を先に投入してデジタルビデオディスクの検出を行ない、その後ＤＶＤ再生手段のディスクモータの回転が安定した直後に、ハードディスクの電源を投入してハードディスクの正常動作の確認を行なうとともに、ＤＶＤ再生手段の動作確認を行なう電源制御手段とを備えたことを特徴とする。
【００１２】
これにより、電源投入からハードディスクレコーダの使用が可能になるまでの時間を短縮でき、ＤＶＤ再生手段とハードディスクの電源投入のタイミングを変えることができるので、起動時の電力消費を低減できる。
【００１３】
【発明の実施の形態】
図１はこの発明の一実施形態におけるハードディスクレコーダのブロック図である。図１において、外部入力の映像信号はＡ／Ｄ変換器１によってデジタル信号に変換されて圧縮処理部４に与えられ、アンテナからの映像信号はチューナ２で受信され、Ａ／Ｄ変換器３でデジタル信号に変換されて圧縮処理部４に与えられる。圧縮処理部４は入力された映像信号の情報量を少なくするために圧縮処理を行なってハードディスク（ＨＤＤ）６に蓄積する。記憶部５は半導体メモリなどで構成されており、ＨＤＤ６に蓄積した番組に関する情報を記憶する。
【００１４】
ＨＤＤ６に蓄積された映像信号が読み出されると、その映像信号に関連する情報も記憶部５から読み出されて伸張処理部７に与えられて元の番組の映像信号に伸張処理が行なわれる。そして、その映像信号はＤ／Ａ変換器８によってアナログ信号に変換されて外部に出力される。なお、ハードディスクレコーダにはＤＶＤ再生機９も搭載されており、ＤＶＤ再生機９からも映像信号が出力される。
【００１５】
電源制御手段としての制御部１０は圧縮処理部４，ＨＤＤ６，伸張処理部７およびＤＶＤ再生機９の制御と、この発明の実施形態におけるＨＤＤ６およびＤＶＤ再生機９の電源投入動作を行なう。また、制御部１０は、受信中の番組を圧縮処理部４で圧縮処理してＨＤＤ６に蓄積し、蓄積処理中であっても蓄積した番組を蓄積している範囲内の任意の箇所から読み出して伸張処理部７で伸張処理して表示し、利用者の操作によって番組視聴中に番組表示の一時停止や表示速度を変更するタイムシフト再生機能を実行する。
【００１６】
図２はこの発明の一実施形態におけるハードディスクレコーダの電源投入動作を説明するためのフローチャートであり、図３はタイムシーケンス図である。
【００１７】
図２に示すフローチャートは、電源投入後の起動処理を示している。図１に示すハードディスクレコーダの電源が投入されると、ステップＳＰ（図示ではＳＰと略称する）１において、制御部１０はＤＶＤ再生機９の電源を投入し、ＤＶＤのディスクを検出する。ステップＳＰ２において、ＤＶＤ再生機９のディスクモータの回転が安定したか否かを判別し、安定していなければ、安定するまで待機する。
【００１８】
ディスクモータの回転が安定すると、ステップＳＰ３において、ＨＤＤ６の電源を投入する。ステップＳＰ４においてＨＤＤ６が安定に動作するまで待機する。同時にステップＳＰ５においてＤＶＤ再生機９が正常に動作するか否かを判別し、正常に動作することを判別すれば、起動処理を終了する。
【００１９】
したがって、この実施形態によれば、図３に示すように、まずＤＶＤ再生機９に電源を投入したときには、たとえば３０ｍＡの電流が流れ、ＤＶＤの回転が安定した後ＨＤＤ６の電源を投入することで２０ｍＡの電流が流れるので、図４に示したように起動時に５０ｍＡもの電流が流れるのを抑えることができ、消費電力を少なくできる。
【００２０】
しかも、ＨＤＤ６に電源を投入した後は、ＤＶＤのディスクチェックと正常動作確認およびＨＤＤ６の回転安定確認と正常動作確認を平行して行なうことにより、電源投入から起動までの時間をたとえば８ｓｅｃに短縮することができる。
【００２１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００２２】
【発明の効果】
以上のように、この発明によれば、電源投入時にＤＶＤ再生手段の電源を先に投入してＤＶＤディスクの検出を行ない、その後ＤＶＤのディスクモータの回転が安定した直後に、ハードディスクの電源を投入してハードディスクの正常動作の確認を行なうとともに、ＤＶＤ再生手段の動作確認を行なうようにしたので、電源投入からハードディスクレコーダの使用が可能になるまでの時間を短縮できる。しかも、ＤＶＤとハードディスクの電源投入のタイミングを変えることができ、起動時の電力消費を低減できるので、電源回路設計においてコストダウンを図ることができる。
【図面の簡単な説明】
【図１】この発明の一実施形態におけるハードディスクレコーダのブロック図である。
【図２】この発明の一実施形態におけるハードディスクレコーダの動作を説明するためのフローチャートである。
【図３】この発明の一実施形態におけるハードディスクレコーダの動作を説明するためのタイムシーケンス図である。
【図４】従来のハードディスクレコーダにＤＶＤ機能を搭載した機器の電源投入のタイムシーケンスを示す図である。
【符号の説明】
１，３  Ａ／Ｄ変換器、２  チューナ、４  圧縮処理部、５  記憶部、６ＨＤＤ、７  伸張処理部、８  Ｄ／Ａ変換器、９  ＤＶＤ再生機、１０  制御部。
【図１】
2004342267.tif 000003
【図２】
2004342267.tif 000004
【図３】
2004342267.tif 000005
【図４】
2004342267.tif 000006